(57)【特許請求の範囲】
【請求項１】
データメンテナンス処理により作成保存した配電設備の図形や名称を街路図に対応させて表示する配電線路図表示装置において、
設備データメンテナンス処理で区間データを生成する際、端点と分岐点の電柱を一筆書きに並べた要点順列も生成し、
この要点順列生成の途中に分岐点があった場合、一筆書きの末端の次に分岐点を表す区切りコードを入れ、新たに当該分岐点から別ルートの一筆書きを続け、
線路図表示処理の際、表示対象フィーダ検索後、系統が密でないと判断すれば各区間について実径間を表示し、
系統が密と判断した場合、区間の要点順列から電柱を取り出し、前後する電柱同士を結んで擬似径間を表示し、
区切りコードがあれば一筆書きを打ち切り、次の電柱から新たに一筆書きを再開し、
系統が過密時に、要点順列の電柱を用いて、区間としての端点、分岐点を押さえながら実際の径間データを間引いて擬似的に径間を表示することを特徴とする配電線路図の表示方法。
【発明の詳細な説明】
【０００１】
【発明の属する技術分野】
この発明は、配電線路図の表示方法に関する。
【０００２】
【従来の技術】
配電線路図表示装置は、配電線路図にデータメンテナンスにより作成保存した配電設備の図形と名称を街路図に対応させて配電線路図上に表示する。その際、表示中心と縮尺を指定すると、配電線路図上の表示対象領域を特定し、それに含まれる設備図形を検索して表示する。
【０００３】
各設備または各設備のベースとなる基底設備は地図上の座標を持っており、上記表示対象領域を特定する際、対象領域に含まれる座標の設備を検索することにより行う。
【０００４】
データメンテナンス時に大量の配電設備の図形や名称を何も工夫せず作成保存しておくと画面に表示する時にすべての図形を調べて表示領域にあるかどうかを調べなくてはならないため時間がかかり表示が遅くなる。そこでデータメンテナンス時にフィーダ単位にフィーダ内に含まれる径間や電柱の表示範囲を矩形座標として記憶しておき、表示時にはフィーダの矩形座標が表示領域に含まれるものだけを検索して表示処理することにより高速化を図る。
【０００５】
しかし、配電設備の数は膨大であり、全設備を検索するのは非常に時間がかかり、実用的でない。そこで、図５に示すようにフィーダ（配電線）Ａ〜Ｄ単位で、それらを囲む矩形の座標を保持し、最初に表示領域矩形に重なる矩形を検索（フィーダ検索）し、大雑把に対象のフィーダＡ，Ｂを特定する。続いてフィーダＡ，Ｂに所属する各設備の座標で検索（設備検索）を行う。これにより実用的な時間で配電線路図を表示している。
【０００６】
【発明が解決しようとする課題】
配電設備では径間の個数が一番多い（１システム１０万本前後）。図６に示すように配電線路図の縮尺倍率が上がれば上がる程径間は密になり、表示対象の径間は膨大になる。
【０００７】
上記表示方法では検索処理は効率化されるが、検索された径間の表示処理には効力はない。表示対象の径間数に比例して表示処理時間がかかり、表示ネックとなっている。
【０００８】
この発明は、このような課題を解決すべくなされたものであり、その目的とするところは、縮尺倍率が上がり系統が混んでくると、マクロ表示に切り替り、表示対象の径間が激減し高速に配電線路図を表示できる配電線路図表示方法を提供することにある。
【０００９】
【課題を解決するための手段】
この発明の配電線図形の表示方法は、データメンテナンス処理により作成保存した配電設備の図形や名称を街路図に対応させて表示する配電線路図表示装置において、設備データメンテナンス処理で区間データを生成する際、端点と分岐点の電柱を一筆書きに並べた要点順列も生成し、この要点順列生成の途中に分岐点があった場合、一筆書きの末端の次に分岐点を表す区切りコードを入れ、新たに当該分岐点から別ルートの一筆書きを続け、線路図表示処理の際、表示対象フィーダ検索後、系統が密でないと判断すれば各区間について実径間を表示し、系統が密と判断した場合、区間の要点順列から電柱を取り出し、前後する電柱同士を結んで擬似径間を表示し、区切りコードがあれば一筆書きを打ち切り、次の電柱から新たに一筆書きを再開し、系統が過密時に、要点順列の電柱を用いて、区間としての端点、分岐点を押さえながら実際の径間データを間引いて擬似的に径間を表示することを特徴とする。
【００１１】
【発明の実施の形態】
実施の形態１
上記従来の技術で説明した図５のように、フィーダを囲む矩形座標を持ち、当該矩形と表示領域の矩形をチェックし重なるフィーダを検索して大雑把に設備を特定した後、その各所属設備について表示領域に重なるものを詳細に検索して表示する配電線路図表示装置において、各区間についての径間を以下のように表示する。
【００１２】
図１について、まず、設備データメンテナンス処理の際、区間の生成処理（Ｓ１１）と要点順列の生成処理（Ｓ１２）を行う。区間の生成処理では従来同様に配電設備の図形と名称、即ち区間データ、開閉器データ、電柱データ、径間データを生成し保存する。要点順列の生成処理では、区間（開閉器で区切られる径間、電柱の集合）に要点順列（要点電柱／ＮＵＬＬ）を設定する。
【００１３】
要点順列とは、端点と分岐点の電柱の一筆書きの集合である。要点順列を図２の例で説明すると、▲１▼▲３▼▲５▼ＮＵＬＬ▲３▼▲６▼である。すなわち、▲１▼▲２▼▲３▼▲４▼▲５▼の順に一筆書きで進み、末端の▲５▼に到達した後、途中の分岐点▲３▼に戻り別ルートを▲３▼▲９▼▲８▼▲７▼▲６▼と進む。その際、端点と分岐点のみ順列に保存しておく。順列中のＮＵＬＬは端点▲５▼到達後、分岐点▲３▼から再度出発していることを表す。
【００１４】
そして、線路図表示処理の際、表示対象フィーダ検索後、表示対象フィーダ数などで系統設備の混み具合を判断する（Ｓ２１）。混んでいないと判断された時は実径間の表示処理（Ｓ２２）を行い、区間の生成処理で保存した電柱データ、径間データ等を用いて従来どおり実径間の線路図を表示装置の画面１に表示する。図２の実線図の表示となる。
【００１５】
混んでいると判断された時は擬似径間の表示処理（Ｓ２３）を行い、上記設定された要点順列から順次電柱を取り出し、前後する電柱同士を擬似径間として表示装置の画面１に表示する。その際、ＮＵＬＬを取り出した場合、それまで連続していた擬似径間を打ち切り、次の電柱から新たに擬似径間表示を始める。これにより▲１▼▲３▼▲５▼の線分裂と▲３▼▲６▼の線分裂が表示装置の画面１に表示される。図２の点線部の表示となる。
【００１６】
実施の形態１によれば、表示の縮尺倍率が上がり系統が混んでくると、実径間表示が擬似径間表示に切り替り、区間としての要点を押さえながら径間図形を間引いて表示するので高速に表示できる。
【００１７】
実施の形態２
上記図５のように表示対象を検索して表示する配電線路図表示装置において、各区間についての径間を以下の方法で表示する。
【００１８】
図３について、設備データメンテナンス処理の際、従来どおり区間の生成処理（Ｓ１１）にて区間データ、開閉器データ、電柱データ、径間データ等を生成し保存する。
【００１９】
そして、線路図表示処理の際、表示対象フィーダ検索後、表示対象フィーダ数などで系統設備の混み具合を判断する（Ｓ３１）。混んでいないと判断された時は実径間の表示処理（Ｓ３２）で、従来通り電柱データ、径間データ等を用いて実径間を表示装置の画面１に表示する。図４の実線図の表示となる。
【００２０】
混んでいると判断された場合は擬似径間の表示処理（Ｓ３３）で区間データ等を用いて図４のように当該区間に接続する開閉器の設置している電柱▲１▼▲５▼▲６▼を囲む区間の包含矩形を生成し、その中点と開閉器設置電柱▲１▼▲５▼▲６▼を結ぶ擬似径間を表示装置の画面１に表示する。図４の点線部の表示となる。
【００２１】
実施の形態２によれば、設備データメンテナンス処理のパフォーマンスを従来同様に維持したまま、系統が混んでくると擬似径間表示に切り替り、径間図形を高速に表示できる。
【００２２】
【発明の効果】
この発明は、上述のとおり構成されているので、以下に記載する効果を奏する。
（１）縮尺倍率が上がり表示対象の径間が増え系統が混んでくると実径間の表示が擬似径間の表示（マクロ表示）に切り替り、表示対象の径間が激減するので、高速に径間を表示することができる。
（２）請求項１の発明の場合、端点に加えて分岐点が実際の電柱位置となっており、図形的な骨格が保持されているので、縮尺倍率が上がって多少、中間の電柱が間引かれても、意識されず問題は生じない。
（３）請求項２の発明の場合、事前に特有の表示用データを生成する必要がないので、従来同様設備データメンテナンス処理のパフォーマンスを維持することができる。
【図面の簡単な説明】
【図１】実施の形態１にかかる配電線路の表示方法の説明図。
【図２】分岐−端点の擬似径間の説明図。
【図３】実施の形態２にかかる配電線路の表示方法の説明図。
【図４】開閉器−中点の擬似径間の説明図。
【図５】従来例にかかる表示対象検索方式の説明図。
【図６】縮尺別表示方法の説明図。
【図１】
0004228500.tif 000002
【図２】
0004228500.tif 000003
【図３】
0004228500.tif 000004
【図４】
0004228500.tif 000005
【図５】
0004228500.tif 000006
【図６】
0004228500.tif 000007